【手続補正書】
【提出日】平成17年8月2日(2005.8.2)
【手続補正１】
【補正対象書類名】明細書
【補正対象項目名】特許請求の範囲
【補正方法】変更
【補正の内容】
【特許請求の範囲】
【請求項１】
入力信号を増幅して増幅信号を得る増幅手段と、
一つの局部発振器と、分周器と第１のミキサを含み、前記一つの局部発振器の出力端子を前記分周器と前記第１のミキサに入力し、前記第１のミキサによりパイロット信号を生成するパイロット信号生成手段と、
前記増幅手段への前記入力信号と前記増幅手段からの前記増幅信号の少なくとも一方と、前記パイロット信号を合成して合成信号を生成する合成手段と、
前記合成信号から歪み成分を抽出する抽出手段と、
前記合成信号から前記抽出された歪み成分を除去して出力信号を生成する出力信号生成手段と、
前記局部発振器の出力、前記分周器の出力および前記パイロット信号のいずれかと前記出力信号生成手段からの前記出力信号とを用いて前記歪み成分除去のための調整を行う調整手段とを備えたフィードフォワード増幅器。
【請求項２】
前記局部発振器の出力の周波数は、前記出力信号生成手段からの出力信号の周波数帯内にあり、前記分周器の出力の周波数は、前記出力信号生成手段からの出力信号の周波数帯の外にある請求項１に記載のフィードフォワード増幅器。
【請求項３】
前記調整手段は、前記局部発振器からの出力と前記出力信号を第２のミキサに入力して合成し、前記出力信号を、元の周波数帯域より低い低周波数帯域にコンバートする第１のコンバート手段と、前記分周器からの出力を前記コンバートされた前記パイロット信号として用いることで、前記パイロット信号を元の周波数帯域より低い低周波数帯域にコンバートする第２のコンバート手段とを有し、
前記低周波数帯域にコンバートされたパイロット信号と前記低周波数帯域にコンバートされた出力信号とを用いて前記調整を行う請求項１または２に記載のフィードフォワード増幅器。
【請求項４】
前記第１のコンバート手段は、
前記第２のミキサの前段に設けられ前記出力信号が入力される第１のフィルタと、前記第２のミキサからの出力が入力される第２のフィルタとの少なくとも一方を有する請求項３に記載のフィードフォワード増幅器。
【請求項５】
前記第１のフィルタは帯域通過フィルタである請求項４に記載のフィードフォワード増幅器。
【請求項６】
前記第１のフィルタは帯域阻止フィルタである請求項４に記載のフィードフォワード増幅器。
【請求項７】
前記第２のフィルタは帯域通過フィルタである請求項４に記載のフィードフォワード増幅器。
【請求項８】
前記第２のフィルタは低域通過フィルタである請求項４に記載のフィードフォワード増幅器。
【請求項９】
前記第２のフィルタは帯域阻止フィルタである請求項４に記載のフィードフォワード増幅器。
【請求項１０】
前記分周器の分周比は、分数である請求項１に記載のフィードフォワード増幅器。
【請求項１１】
前記分周器の分周比は、可変である請求項１に記載のフィードフォワード増幅器。
【請求項１２】
前記局部発振器、前記分周器、前記第１のミキサ、前記第２のミキサ、前記第１のフィルタ、前記第２のフィルタおよび前記調節手段の、少なくとも２つは、同一の半導体基板内に集積化されている請求項１から１１のいずれかに記載のフィードフォワード増幅器。
【請求項１３】
入力信号を増幅して増幅信号を得る工程と、
一つの局部発振器の出力を分周し、前記局部発振器の出力と前記分周された出力とに基づき所定のパイロット信号を生成する工程と、
前記入力信号または前記増幅信号に前記パイロット信号を合成して合成信号を生成する工程と、
前記合成信号から歪み成分を抽出する工程と、
前記合成信号から前記抽出された歪み成分を除去して出力信号を生成する工程と、
前記局部発振器の出力、前記分周器の出力および前記パイロット信号のいずれかと前記出力信号とを用いて前記歪み成分除去のための調整を行う工程とを備えたフィードフォワード増幅方法。
【請求項１４】
請求項１から１２のいずれかに記載のフィードフォワード増幅器と、
送信を行う送信手段と、
受信を行う受信手段とを備えた通信装置。
【手続補正２】
【補正対象書類名】明細書
【補正対象項目名】００１３
【補正方法】変更
【補正の内容】
【００１３】
【課題を解決するための手段】
上記の目的を達成するために、第１の本発明は、入力信号を増幅して増幅信号を得る増幅手段と、
一つの局部発振器と、分周器と第１のミキサを含み、前記一つの局部発振器の出力端子を前記分周器と前記第１のミキサに入力し、前記第１のミキサによりパイロット信号を生成するパイロット信号生成手段と、
前記増幅手段への前記入力信号と前記増幅手段からの前記増幅信号の少なくとも一方と、前記パイロット信号を合成して合成信号を生成する合成手段と、
前記合成信号から歪み成分を抽出する抽出手段と、
前記合成信号から前記抽出された歪み成分を除去して出力信号を生成する出力信号生成手段と、
前記局部発振器の出力、前記分周器の出力および前記パイロット信号のいずれかと前記出力信号生成手段からの前記出力信号とを用いて前記歪み成分除去のための調整を行う調整手段とを備えたフィードフォワード増幅器である。
【手続補正３】
【補正対象書類名】明細書
【補正対象項目名】００１４
【補正方法】変更
【補正の内容】
【００１４】
また、第２の本発明は、前記局部発振器の出力の周波数は、前記出力信号生成手段からの出力信号の周波数帯内にあり、前記分周器の出力の周波数は、前記出力信号生成手段からの出力信号の周波数帯の外にある第１の本発明のフィードフォワード増幅器である。
【手続補正４】
【補正対象書類名】明細書
【補正対象項目名】００１５
【補正方法】変更
【補正の内容】
【００１５】
また、第３の本発明は、前記調整手段は、前記局部発振器からの出力と前記出力信号を第２のミキサに入力して合成し、前記出力信号を、元の周波数帯域より低い低周波数帯域にコンバートする第１のコンバート手段と、前記分周器からの出力を前記コンバートされた前記パイロット信号として用いることで、前記パイロット信号を元の周波数帯域より低い低周波数帯域にコンバートする第２のコンバート手段とを有し、
前記低周波数帯域にコンバートされたパイロット信号と前記低周波数帯域にコンバートされた出力信号とを用いて前記調整を行う第１または第２のの本発明のフィードフォワード増幅器である。
【手続補正５】
【補正対象書類名】明細書
【補正対象項目名】００１６
【補正方法】変更
【補正の内容】
【００１６】
また、第４の本発明は、前記第１のコンバート手段は、
前記第２のミキサの前段に設けられ前記出力信号が入力される第１のフィルタと、前記第２のミキサからの出力が入力される第２のフィルタとの少なくとも一方を有する第３の本発明のフィードフォワード増幅器である。
【手続補正６】
【補正対象書類名】明細書
【補正対象項目名】００１７
【補正方法】変更
【補正の内容】
【００１７】
また、第５の本発明は、前記第１のフィルタは帯域通過フィルタである第４の本発明のフィードフォワード増幅器である。
【手続補正７】
【補正対象書類名】明細書
【補正対象項目名】００１８
【補正方法】変更
【補正の内容】
【００１８】
また、第６の本発明は、前記第１のフィルタは帯域阻止フィルタである第４の本発明のフィードフォワード増幅器である。
【手続補正８】
【補正対象書類名】明細書
【補正対象項目名】００１９
【補正方法】変更
【補正の内容】
【００１９】
また、第７の本発明は、前記第２のフィルタは帯域通過フィルタである第４の本発明のフィードフォワード増幅器である。
【手続補正９】
【補正対象書類名】明細書
【補正対象項目名】００２０
【補正方法】変更
【補正の内容】
【００２０】
また、第８の本発明は、前記第２のフィルタは低域通過フィルタである第４の本発明のフィードフォワード増幅器である。
【手続補正１０】
【補正対象書類名】明細書
【補正対象項目名】００２１
【補正方法】変更
【補正の内容】
【００２１】
また、第９の本発明は、前記第２のフィルタは帯域阻止フィルタである第４の本発明のフィードフォワード増幅器である。
【手続補正１１】
【補正対象書類名】明細書
【補正対象項目名】００２２
【補正方法】変更
【補正の内容】
【００２２】
また、第１０の本発明は、前記分周器の分周比は、分数である第１の本発明のフィードフォワード増幅器である。
【手続補正１２】
【補正対象書類名】明細書
【補正対象項目名】００２３
【補正方法】変更
【補正の内容】
【００２３】
また、第１１の本発明は、前記分周器の分周比は、可変である第１の本発明のフィードフォワード増幅器である。
【手続補正１３】
【補正対象書類名】明細書
【補正対象項目名】００２４
【補正方法】変更
【補正の内容】
【００２４】
また、第１２の本発明は、前記局部発振器、前記分周器、前記第１のミキサ、前記第２のミキサ、前記第１のフィルタ、前記第２のフィルタおよび前記調節手段の、少なくとも２つは、同一の半導体基板内に集積化されている第１から第１１のいずれかの本発明のフィードフォワード増幅器である。
【手続補正１４】
【補正対象書類名】明細書
【補正対象項目名】００２５
【補正方法】変更
【補正の内容】
【００２５】
また、第１３の本発明は、入力信号を増幅して増幅信号を得る工程と、
一つの局部発振器の出力を分周し、前記局部発振器の出力と前記分周された出力とに基づき所定のパイロット信号を生成する工程と、
前記入力信号または前記増幅信号に前記パイロット信号を合成して合成信号を生成する工程と、
前記合成信号から歪み成分を抽出する工程と、
前記合成信号から前記抽出された歪み成分を除去して出力信号を生成する工程と、
前記局部発振器の出力、前記分周器の出力および前記パイロット信号のいずれかと前記出力信号とを用いて前記歪み成分除去のための調整を行う工程とを備えたフィードフォワード増幅方法である。
【手続補正１５】
【補正対象書類名】明細書
【補正対象項目名】００２６
【補正方法】変更
【補正の内容】
【００２６】
また、第１４の本発明は、第１から第１２のいずれかの本発明のフィードフォワード増幅器と、
送信を行う送信手段と、
受信を行う受信手段とを備えた通信装置である。
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】